(57)【要約】【課題】待機モードから稼動モードへの移行に長時間を要する外部装置（デジタル放送信号処理装置）をテレビジョン受像機側から起動させてその外部装置の出力映像をテレビジョン受像機の映像表示部に表示させる場合に，外部装置の無駄な電力消費を極力抑えつつ，その起動を待つ待ち時間を短縮すること。【解決手段】テレビジョン受像機が，電源ＯＮ操作を検知した際に，録画再生装置Ｙの通電状態を待機状態から中間状態（待機状態よりも稼動状態への移行時間が短い状態）へ移行させるコマンドを送信し（Ｓ１０２），録画再生装置Ｙが，これに応じて前記中間状態へ移行する（Ｓ２０２）。その後，テレビジョン受像機Ｘ側で録画・再生関連操作がなされた場合に，稼動状態移行指示コマンドを録画再生装置Ｙへ送信し（Ｓ１０５），所定時間内に録画・再生関連操作がなされない場合は，待機状態移行指示コマンドを録画再生装置Ｙに送信する（Ｓ１１２）。【選択図】図２
2008219392.tif 000002
【特許請求の範囲】
【請求項１】
映像を表示する映像表示手段と，所定の操作部を通じて起動操作がなされたことを検知した際に自装置の通電状態を前記映像表示手段への通電を行わない待機状態から前記映像表示手段への通電を行う稼動状態へ切り替える起動手段と，前記映像表示手段による映像表示用の映像信号を外部装置から入力する映像信号外部入力手段と，を備えたテレビジョン受像機であって，
前記外部装置との間で制御情報の通信を行う制御情報通信手段と，
前記操作部を通じて前記起動操作がなされたことを検知した際に，前記外部装置の通電状態を待機状態から該待機状態よりも稼動状態への移行時間が短い所定の中間状態へ移行させる中間状態移行指示情報を，前記制御情報通信手段を通じて前記外部装置へ送信する第１の中間状態移行指示手段と，
を具備してなることを特徴とするテレビジョン受像機。
【請求項２】
前記中間状態移行指示情報が送信された後に，所定の操作部を通じて，前記外部装置に対して映像信号の出力処理を伴う所定の処理を指示する動作指示の操作がなされたことを検知した場合に，前記外部装置の通電状態を前記中間状態から前記稼動状態へ移行させる稼動状態移行指示情報を，前記制御情報通信手段を通じて前記外部装置へ送信する稼動状態移行指示手段と，
前記外部装置から前記制御情報通信手段を通じて所定の映像出力要求情報が受信された場合に，該外部装置から前記外部映像信号入力手段を通じて入力される映像信号に基づく映像を前記映像表示手段に表示させる映像出力制御手段と，
を具備してなる請求項１に記載のテレビジョン受像機。
【請求項３】
前記中間状態移行指示情報が送信された後の所定時間内に前記動作指示操作が検知されない場合に，前記外部装置の通電状態を前記中間状態から前記待機状態へ移行させる待機状態移行指示情報を，前記制御情報通信手段を通じて前記外部装置へ送信する待機状態移行指示手段を具備してなる請求項２に記載のテレビジョン受像機。
【請求項４】
放送番組のジャンル情報を含む番組情報を記憶する番組情報記憶手段と，
前記番組情報に基づいて，前記映像表示手段に放送番組の映像が表示されているときの該放送番組のジャンル情報を特定するジャンル情報特定手段と，
前記待機状態移行指示手段により前記待機状態移行指示情報が送信された後，前記ジャンル情報特定手段により特定された前記ジャンル情報が変化した場合に，前記中間状態移行指示情報を前記制御情報通信手段を通じて前記外部装置へ送信する第２の中間状態移行指示手段と，
を具備してなる請求項３に記載のテレビジョン受像機。
【請求項５】
所定の操作部を通じた選局操作に応じて放送信号から放送チャンネルを選局し，選局した放送チャンネルにおける放送番組の映像を前記映像表示手段に表示させる選局手段と，
前記選局手段により選局された放送チャンネルが変化した場合に，前記中間状態移行指示情報を前記制御情報通信手段を通じて前記外部装置へ送信する第３の中間状態移行指示手段と，
を具備してなる請求項３に記載のテレビジョン受像機。
【請求項６】
前記制御情報通信手段を通じて複数の前記外部装置からそれぞれの種類情報を取得する装置種類情報取得手段と，
前記種類情報に基づいて，前記制御情報通信手段を通じて通信可能な複数の前記外部装置のうち，前記第１の中間状態移行指示手段による前記中間状態移行指示情報の送信先を決定する第１の中間状態移行指示先決定手段と，
を具備してなる請求項１〜５のいずれかに記載のテレビジョン受像機。
【請求項７】
所定の操作部を通じた設定操作に従って所定の動作モード情報を設定する動作モード情報設定手段と，
前記動作モード情報に基づいて，前記第１の中間状態移行指示手段による前記中間状態移行指示情報の送信処理を実行するか否かを切り替える中間状態移行指示実行制御手段と，
を具備してなる請求項１〜６のいずれかに記載のテレビジョン受像機。
【請求項８】
前記映像信号外部入力手段及び前記制御情報通信手段が，ＨＤＭＩ規格に準拠した信号伝送手段である請求項１〜７のいずれかに記載のテレビジョン受像機。
【請求項９】
デジタルテレビジョン放送信号の処理に関する特定のデジタル処理部品と，所定の映像信号を外部のテレビジョン受像機に対して伝送する映像信号外部伝送手段と，を備えたデジタル放送信号処理装置であって，
前記外部装置との間で制御情報の通信を行う制御情報通信手段と，
自装置の通電状態を，少なくとも前記特定のデジタル処理部品に通電を行わない所定の待機状態，該待機状態から前記特定のデジタル処理部品に対する通電を加えた中間状態及び該中間状態からさらに他の部品に対する通電を加えた稼動状態のいずれかに切り替える通電状態切替手段と，
前記待機状態であるときに前記外部のテレビジョン受像機から前記制御情報通信手段を通じて前記中間状態への移行指示を表す中間状態移行指示情報が受信された場合に，前記通電状態切替手段を通じて通電状態を前記待機状態から前記中間状態へ移行させる中間状態移行制御手段と，
を具備してなることを特徴とするデジタル放送信号処理装置。
【請求項１０】
前記中間状態であるときに，自装置の通電状態を前記中間状態から前記稼動状態への移行指示を表す稼動状態移行指示情報が，前記外部のテレビジョン受像機から前記制御情報通信手段を通じて受信された場合に，前記通電状態切替手段を通じて通電状態を前記中間状態から前記稼動状態へ移行させる稼動状態移行制御手段を具備してなる請求項１０に記載のデジタル放送信号処理装置。
【請求項１１】
前記中間状態であるときに前記外部のテレビジョン受像機から前記制御情報通信手段を通じて前記待機状態への移行指示を表す待機状態移行指示情報が受信された場合に，前記通電状態切替手段を通じて通電状態を前記中間状態から前記待機状態へ移行させる第１の待機状態移行制御手段を具備してなる請求項１０又は１１のいずれかに記載のデジタル放送信号処理装置。
【請求項１２】
前記中間状態移行指示情報の受信後の所定時間内に前記テレビジョン受像機から前記稼動状態移行指示情報が受信されない場合に，前記通電状態切替手段を通じて通電状態を前記中間状態から前記待機状態へ移行させる第２の待機状態移行制御手段を具備してなる請求項１０又は１１のいずれかに記載のデジタル放送信号処理装置。
【発明の詳細な説明】
【技術分野】
【０００１】
本発明は，放送番組の映像を表示する映像表示手段を備えたテレビジョン受像機に関するものである。
【背景技術】
【０００２】
昨今，デジタルテレビジョン放送（以下，デジタル放送という）の信号を処理して放送番組の映像を映像表示部に表示させるデジタルテレビジョン受像機や，デジタル放送信号を処理して放送番組の録画処理やその録画データに基づく再生処理を行うデジタル録画再生装置など，デジタル放送信号を処理するデジタル放送信号処理装置が普及している。
デジタル放送信号処理装置は，デジタル放送の受信や出力に係る全ての機能が動作する稼動モードと，それらの全ての機能を停止して当該デジタル放送信号処理装置を制御するマイコンだけを有効に動作させる完全待機モードとを切り替える機能を有している。
前記デジタル放送信号処理装置は，商用交流電源に接続されると前記完全待機モードで動作し，その後，ユーザによってリモコンの電源ボタンの押下等の電源入要求を検知すると，所定の処理手順で前記稼動モードに移行する。
このような，デジタル放送信号処理装置は，前記完全待機モードから前記稼動モードに移行するに要する時間，即ち，電源入要求からデジタル放送信号に基づく映像表示処理や録画処理などが開始されるまでの時間が，アナログテレビジョン放送を受信して処理するアナログ放送受信装置に比べて長い（例えば，２０秒程度）ことが知られている。
【０００３】
一方，テレビジョン受像機と他の装置（例えば，録画再生装置）とが接続されたＡＶシステムにおいて，テレビジョン受像機が，その操作部（例えば，リモート操作器）に対する操作に応じて他の装置を制御する機能（以下，外部装置制御機能という）を備える場合がある。例えば，テレビジョン受像機と録画再生装置とがＨＤＭＩ規格に準拠した通信手段であるＣＥＣインターフェースを備えている場合，そのテレビジョン受像機は，リモート操作器に対する操作に応じて，ＣＥＣインターフェースを通じた制御コマンドを録画生成装置に送信することにより，録画生成装置を起動させたり，録画処理を実行させたりすることができる。これにより，テレビジョン受像機に対する操作を通じてＡＶシステム全体を操作することができ，ＡＶシステム全体の操作性が非常に高くなるというメリットがある。
また，特許文献１には，ＤＶＤプレーヤやＣＤプレーヤ，ＭＤプレーヤなどの複数の機器が接続されたシステムにおいて，特定の機器に対する電源オン又は電源オフ操作に応じて，全ての機器の電源をオン又はオフする，即ち，全ての機器について前記稼動モードへの移行と前記完全待機モードへの移行とを連動させるシステムが示されている。
【特許文献１】特開２００３−３６６６０号公報
【発明の開示】
【発明が解決しようとする課題】
【０００４】
しかしながら，外部装置制御機能を備えたテレビジョン受像機とデジタル放送信号処理装置（例えば，デジタル録画再生装置）とが接続されたＡＶシステムにおいて，外部のデジタル放送信号処理装置が出力する映像信号に基づく映像をテレビジョン受像機の映像表示部に表示させたい場合，ユーザは，テレビジョン受像機を起動（前記稼動モードへ移行）させた後，さらに，前記外部装置制御機能を通じて外部のデジタル放送信号処理装置を起動させ，その起動を待つ必要があり，待ち時間が長くなるという問題点があった。特に，テレビジョン受像機と外部装置との両方がデジタル放送信号処理装置である場合，テレビジョン受像機と外部装置とが順番に起動するのに非常に長時間を要し，待ち時間が非常に長くなるという問題点があった。
一方，外部装置制御機能を備えたテレビジョン受像機とデジタル放送信号処理装置とが接続されたＡＶシステムに特許文献１に示される技術を適用した場合，外部のデジタル放送信号処理装置の起動操作を行うためにテレビジョン受像機の起動を待つ必要がなくなり，待ち時間が短縮される。しかしながら，特許文献１に示される技術が適用されたＡＶシステムでは，テレビジョン受像機の起動の際に，外部のデジタル放送信号処理装置の起動が必要でない場合には，外部のデジタル放送信号処理装置において無駄に電力が消費されるという問題点があった。
従って，本発明は上記事情に鑑みてなされたものであり，その目的とするところは，待機モードから稼動モードへの移行に長時間を要する外部装置（デジタル放送信号処理装置がその典型例）と接続されたテレビジョン受像機が，その外部装置を起動させてその外部装置が出力する映像信号に基づく映像をテレビジョン受像機の映像表示部に表示させる場合に，その外部装置による無駄な電力消費を極力抑えつつ，その起動を待つ待ち時間を短縮できるテレビジョン受像機及びデジタル放送信号処理装置を提供することにある。
【課題を解決するための手段】
【０００５】
上記目的を達成するために，本発明に係るテレビジョン受像機は，映像を表示する映像表示手段と，所定の操作部を通じて起動操作がなされたことを検知した際に自装置の通電状態を前記映像表示手段への通電を行わない待機状態（前記完全待機モードに相当）から前記映像表示手段への通電を行う稼動状態（前記稼動モードに相当）へ切り替える起動手段と，前記映像表示手段による映像表示用の映像信号を外部装置（ディジタル放送信号処理装置がその典型例）から入力する映像信号外部入力手段とを備え，さらに，以下の（１−１）及び（１−２）に示す各構成要素を備えるものである。
（１−１）前記外部装置との間で制御情報の通信を行う制御情報通信手段。
（１−２）前記操作部を通じて前記起動操作がなされたことを検知した際に，前記外部装置の通電状態を待機状態からその待機状態よりも稼動状態への移行時間が短い所定の中間状態へ移行させる中間状態移行指示情報を，前記制御情報通信手段を通じて前記外部装置へ送信する第１の中間状態移行指示手段。
本発明に係るテレビジョン受像機においては，外部装置の起動操作を行うために自装置の起動を待つ必要がないため，その外部装置を起動させてその外部装置が出力する映像信号に基づく映像を前記映像表示手段を通じて表示させたい場合に，その外部装置の起動を待つ待ち時間を短縮できる。しかも，本発明に係るテレビジョン受像機は，自装置の起動の際に，前記外部装置を前記待機状態から前記中間状態へ移行させるだけなので，当該テレビジョン受像機の起動の際に外部装置の起動が必要でない場合に，特許文献１に示されるように稼動状態へ移行させるよりも無駄な電力消費を極力抑えることができる。
なお，前記映像信号外部入力手段及び前記制御情報通信手段としては，ＨＤＭＩ規格に準拠した信号伝送手段が考えられる。
また，本発明に係るテレビジョン受像機が，さらに次の（１−３）及び（１−４）に示す各構成要素を備えればなお好適である。
（１−３）前記中間状態移行指示情報が送信された後に，所定の操作部を通じて，前記外部装置に対して映像信号の出力処理を伴う所定の処理を指示する動作指示の操作がなされたことを検知した場合に，前記外部装置の通電状態を前記中間状態から前記稼動状態へ移行させる稼動状態移行指示情報を，前記制御情報通信手段を通じて前記外部装置へ送信する稼動状態移行指示手段。
（１−４）前記外部装置から前記制御情報通信手段を通じて所定の映像出力要求情報が受信された場合に，その外部装置から前記外部映像信号入力手段を通じて入力される映像信号に基づく映像を前記映像表示手段に表示させる映像出力制御手段。
これにより，当該テレビジョン受像機において，前記映像表示手段を通じて表示させる映像の切替のための操作を行う必要がなく，操作の手間が省けて好適である。
また，本発明に係るテレビジョン受像機が，さらに次の（１−５）に示す構成要素を備えれば，当該テレビジョン受像機の起動の際に外部装置の起動が必要でないときの無駄な電力消費をさらに低減することができる。
（１−５）前記中間状態移行指示情報が送信された後の所定時間内に前記動作指示操作が検知されない場合に，前記外部装置の通電状態を前記中間状態から前記待機状態へ移行させる待機状態移行指示情報を，前記制御情報通信手段を通じて前記外部装置へ送信する待機状態移行指示手段。
【０００６】
また，本発明に係るテレビジョン受像機が，さらに次の（１−６）〜（１−８）に示す各構成要素，或いは（１−９）及び（１−１０）に示す各構成要素を備えればなお好適である。
（１−６）放送番組のジャンル情報を含む番組情報を記憶する番組情報記憶手段。
（１−７）前記番組情報に基づいて，前記映像表示手段に放送番組の映像が表示されているときの該放送番組のジャンル情報を特定するジャンル情報特定手段。
（１−８）前記待機状態移行指示手段により前記待機状態移行指示情報が送信された後，前記ジャンル情報特定手段により特定された前記ジャンル情報が変化した場合に，前記中間状態移行指示情報を前記制御情報通信手段を通じて前記外部装置へ送信する第２の中間状態移行指示手段。
（１−９）所定の操作部を通じた選局操作に応じて放送信号から放送チャンネルを選局し，選局した放送チャンネルにおける放送番組の映像を前記映像表示手段に表示させる選局手段。
（１−１０）前記選局手段により選局された放送チャンネルが変化した場合に，前記中間状態移行指示情報を前記制御情報通信手段を通じて前記外部装置へ送信する第３の中間状態移行指示手段。
一般に，視聴されている放送番組のジャンル（スポーツ，ドラマ等）が変化した（新たな放送番組の放送が開始された）場合や，選局チャンネルの変更がなされた場合など，視聴中の放送番組に変化があった場合に，ユーザが外部装置を利用した処理（録画処理や再生処理）の要求を思いつくことが多い。そのため，前記外部装置を前記中間状態から前記待機状態へ移行させた後，視聴中の放送番組に変化があった場合に，前記第２の中間状態移行指示手段又は前記第３の中間状態移行指示手段により，再び前記外部装置を前記中間状態へ移行させれば，その外部装置の起動を待つ待ち時間を短縮できる。
【０００７】
また，本発明に係るテレビジョン受像機が，さらに次の（１−１１）及び（１−１２）に示す各構成要素を備えれば好適である。
（１−１１）前記制御情報通信手段を通じて複数の前記外部装置からそれぞれの種類情報を取得する装置種類情報取得手段。
（１−１２）前記種類情報に基づいて，前記制御情報通信手段を通じて通信可能な複数の前記外部装置のうち，前記第１の中間状態移行指示手段による前記中間状態移行指示情報の送信先を決定する第１の中間状態移行指示先決定手段。
これにより，例えば録画再生装置など，テレビジョン受像機とともに利用される可能性が高い特定の種類の外部装置に対してのみ前記中間状態への移行指示がなされ，無駄な電力消費を極力抑えることができる。
また，本発明に係るテレビジョン受像機が，さらに次の（１−１３）及び（１−１４）に示す各構成要素を備えれば好適である。
（１−１３）所定の操作部を通じた設定操作に従って所定の動作モード情報を設定する動作モード情報設定手段。
（１−１４）前記動作モード情報に基づいて，前記第１の中間状態移行指示手段による前記中間状態移行指示情報の送信処理を実行するか否かを切り替える中間状態移行指示実行制御手段。
これにより，本発明に係るテレビジョン受像機が備える前記中間状態への移行指示機能を有効にするか否かを任意に設定できる。
【０００８】
また，本発明は，以上に示したテレビジョン受像機と接続されるデジタル放送信号処理装置として捉えることもできる。
即ち，本発明に係るデジタル放送信号処理装置は，デジタルテレビジョン放送信号の処理に関する特定のデジタル処理部品と，所定の映像信号を外部のテレビジョン受像機に対して伝送する映像信号外部伝送手段とを備え，さらに，次の（２−１）〜（２−３）に示す各構成要素を備えるものである。
（２−１）前記外部装置との間で制御情報の通信を行う制御情報通信手段。
（２−２）自装置の通電状態を，少なくとも前記特定のデジタル処理部品に通電を行わない所定の待機状態，その待機状態から前記特定のデジタル処理部品に対する通電を加えた中間状態及びその中間状態からさらに他の部品に対する通電を加えた稼動状態のいずれかに切り替える通電状態切替手段。
（２−３）前記待機状態であるときに前記外部のテレビジョン受像機から前記制御情報通信手段を通じて前記中間状態への移行指示を表す中間状態移行指示情報が受信された場合に，前記通電状態切替手段を通じて通電状態を前記待機状態から前記中間状態へ移行させる中間状態移行制御手段。
また，本発明に係るデジタル放送信号処理装置が，さらに，次の（２−４）に示す構成要素を備えることが考えられる。
（２−４）前記中間状態であるときに，自装置の通電状態を前記中間状態から前記稼動状態への移行指示を表す稼動状態移行指示情報が，前記外部のテレビジョン受像機から前記制御情報通信手段を通じて受信された場合に，前記通電状態切替手段を通じて通電状態を前記中間状態から前記稼動状態へ移行させる稼動状態移行制御手段。
また，本発明に係るデジタル放送信号処理装置が，さらに，次の（２−５）に示す構成要素を備えることが考えられる。
（２−５）前記中間状態であるときに前記外部のテレビジョン受像機から前記制御情報通信手段を通じて前記待機状態への移行指示を表す待機状態移行指示情報が受信された場合に，前記通電状態切替手段を通じて通電状態を前記中間状態から前記待機状態へ移行させる第１の待機状態移行制御手段。
本発明に係るデジタル放送信号処理装置は，前述した本発明に係るテレビジョン受像機からの指示に応じた処理を実行することができる。
また，本発明に係るデジタル放送信号処理装置が，前記第１の待機状態移行制御手段の代わりに，次の（２−６）に示す構成要素を備えることが考えられる。
（２−６）前記中間状態移行指示情報の受信後の所定時間内に前記テレビジョン受像機から前記稼動状態移行指示情報が受信されない場合に，前記通電状態切替手段を通じて通電状態を前記中間状態から前記待機状態へ移行させる第２の待機状態移行制御手段。
前記第２の待機状態移行制御手段を備えたデジタル放送信号処理装置は，前記テレビジョン受像機とともに起動する必要がない場合に，テレビジョン受像機からの指示を受けなくても自動的に前記待機状態へ移行するので，無駄な電力消費がさらに抑えられる。
【発明の効果】
【０００９】
本発明によれば，待機モードから稼動モードへの移行に長時間を要する外部装置（デジタル放送信号処理装置がその典型例）と接続されたテレビジョン受像機が，その外部装置を起動させてその外部装置が出力する映像信号に基づく映像を映像表示部に表示させる場合に，その外部装置による無駄な電力消費を極力抑えつつ，その起動を待つ待ち時間を短縮できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘ及び録画再生装置Ｙを含むＡＶシステムＺの概略構成を表すブロック図，図２はＡＶシステムＺにおける通電状態切替処理の手順を表すフローチャートである。
【００１１】
まず，図１に示すブロック図を用いて，本発明の実施形態に係るテレビジョン受像機Ｘ及び本発明の実施形態にかかるデジタル放送信号処理装置の一例である録画再生装置Ｙを含むＡＶシステムＺの構成について説明する。
前記ＡＶシステムＺは，映像表示部５を備えるテレビジョン受像機Ｘと録画機能及び再生機能を備える１又は複数の（図１では２台）の録画再生装置Ｙとが，ＨＤＭＩ規格に準拠した信号伝送手段であるＨＤＭＩインターフェースＷによって通信可能に構成されたシステムである。ここで，ＨＤＭＩインターフェースＷは，映像信号及び音声信号（いずれもデジタル信号）を伝送するＴＭＤＳ（Transition Minimized Differential Signaling）ライン４１と，ＨＤＭＩ規格のオプション規格であるＣＥＣ規格に準拠したＣＥＣライン４２を含んでいる。なお，ＴＭＤＳライン４１は，複数本の信号ラインにより構成され，ＴＭＤＳライン４１及びＣＥＣライン４２は，見かけ上１本のＨＤＭＩケーブル４０として構成されている。
ＡＶシステムＺの特徴は，前記テレビジョン受像機Ｘが，リモコン８（操作部の一例）を通じて電源ＯＮ操作（起動操作に相当）がなされたことを検知した際に，自装置の通電状態を待機状態から稼動状態へ切り替える他，録画再生装置Ｙの通電状態を待機状態からその待機状態よりも稼動状態への移行時間が短い所定の中間状態へ移行させる指示を，前記ＣＥＣライン４２を通じて録画再生装置Ｙに対して行う機能を備えている点にある。
【００１２】
［テレビジョン受像機Ｘ］
まず，テレビジョン受像機Ｘの構成について説明する。
前記テレビジョン受像機Ｘは，図１に示すように，デジタルチューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３及び通電切替回路１４等を具備して構成されている。
【００１３】
前記デジタルチューナ１は，デジタル放送信号から，前記制御回路６により指示される放送チャンネルの信号を抽出（選局）するとともに，その抽出信号の検波によって映像信号及び音声信号を取り出し，その映像信号及び音声信号の各々を映像切替回路３及び音声切替回路１０各々へ伝送するものである。
なお，前記制御回路６が，前記リモコン８（操作部）を通じた選局操作に応じて放送チャンネルを特定してその放送チャンネルを前記デジタルチューナ１に対して指定し，前記デジタルチューナ１が，放送信号から指定された放送チャンネルを選局し，選局した放送チャンネルにおける放送番組の映像を，前記映像切替回路３及び前記映像処理回路４を通じて前記映像表示部５に表示させる。このような選局処理を実行する前記制御回路６及び前記デジタルチューナ１が前記選局手段の一例である。
また，前記ＨＤＭＩ受信部２ｘａ，２ｙａ（図中，ＨＤＭＩ−ＲＸと表記）は，ＨＤＭＩ規格に準拠した信号伝送インターフェースである。このＨＤＭＩ受信部２ｘａ，２ｙａは，ＴＭＤＳライン４１を通じて，外部装置（ここでは，録画再生装置Ｙ）からベースバンド方式で映像信号及び音声信号を入力し，それらを映像切替回路３及び音声切替回路１０各々へ伝送する。即ち，前記ＨＤＭＩ受信部２ｘａ，２ｙａが，前記映像表示部５による映像表示用の映像信号を前記録画再生装置Ｙ（外部装置）から入力する映像信号外部入力手段の一例である。
前記ＣＥＣインターフェース２ｘｂは，ＨＤＭＩ規格におけるＣＥＣ規格に準拠した信号伝送インターフェース（信号伝送手段）である。このＣＥＣインターフェース２ｘｂは，ＣＥＣライン４２を通じて，外部装置（ここでは，録画再生装置Ｙ）との間で制御情報の送受信を行う。即ち，前記ＣＥＣインターフェース２ｘｂが，外部装置との間で制御情報の通信を行う制御情報通信手段の一例である。ＣＥＣインターフェース２ｘｂの受信情報の直接の伝送先及び送信情報の直接の供給元は，サブＭＰＵ９である。
図１に示す例では，テレビジョン受像機Ｘは，２台の録画再生装置Ｚ（外部装置）それぞれに対応する２つのＨＤＭＩ受信部２ｘａ，２ｙａを備えている。また，ＣＥＣインターフェース２ｘｂは，２台の録画再生装置Ｚに対して１つだけ設けられている。
前記映像切替回路３は，デジタルチューナ１及びＨＤＭＩ受信部２ｘａ，２ｙａからの映像信号を入力し，それらの映像信号のうちの任意の１つの映像信号を制御回路６からの指示に従って選択して出力するものである。
前記映像処理回路４は，映像切替回路３から出力された映像信号に対して各種信号処理を行うものである。例えば，映像処理回路４は，映像切替回路３からの映像信号に，制御回路６から指定された情報の映像をスーパーインポーズする（重ね合わせる）ＯＳＤ機能を備えている。
前記映像表示部５は，液晶パネル，その液晶パネルを背面側から照明するバックライト及び液晶ドライバを備えた液晶表示部などにより構成され，映像処理回路４から出力される映像信号に基づく映像を表示するものである。なお，前記映像表示部５が前記映像表示手段の一例である。
【００１４】
前記音声切替回路１０は，デジタルチューナ１からの音声信号及びＨＤＭＩ受信部２ｘａ，２ｙａからの音声信号が入力され，それらの音声信号のうちの任意の１つの音声信号を，制御回路６からの指示に従って音声処理回路１１に出力するものである。
前記音声処理回路１１は，音声切替回路１０から出力された信号に対し，イコライズ処理やＤ／Ａ変換処理等を行うものである。
前記アンプ１２は，音声処理回路１１による処理後の音声信号を，制御回路６からの指示に従って増幅或いは減衰させる処理（ボリューム調節処理）を行い，スピーカ１３に出力するものである。
ここで，前記デジタルチューナ１，前記映像切替回路３，前記映像処理回路４，前記映像表示部５，前記音声切替回路１０及び前記音声処理回路１１は，デジタルテレビジョン放送信号の処理（選局処理，映像処理，音声処理など）に関する部品（以下，デジタル処理部品という）である。これらデジタル処理部品は，起動順序の制約等により全体の起動時間（非通電状態から通電されて全体としてデジタル放送信号の処理の実行を開始できるようになるまでの時間）が長い部品であり，例えば，２０秒程度の起動時間を要する。
前記通電切替回路１４は，不図示の電源回路が商用電源に接続された状態において，前記サブＭＰＵ９からの制御指令に従って，本テレビジョン受像機Ｘの通電状態を「稼動状態」から「待機状態」へ，又は前記「待機状態」から前記「稼動状態」へ切り替える回路である。
ここで，前記待機状態とは，前記ＨＤＭＩインターフェースＷを構成する機器，前記リモコンインターフェース回路７及び前記サブＭＰＵ９に対する電力供給は行われているが，前記制御回路６及び前記デジタル処理部品に対する電力供給が行われていない状態である。
一方，前記稼動状態とは，前記リモコンインターフェース回路７，前記通電切替回路１４，前記制御回路６及び前記ディジタル処理部品に対する電力供給が行われている状態である。
【００１５】
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。この制御回路６は，ＭＰＵ６ａがＲＯＭ６ｂに記憶されたプログラムを実行することによって各種の処理を実行する。
また，前記制御回路６は，デジタルチューナ１により放送信号から抽出されたＥＰＧ情報を取得し，そのＥＰＧ情報を前記ＥＥＰＲＯＭ６ｃ（前記番組情報記憶手段の一例）に記憶させる。周知の通り，前記ＥＰＧ情報には，各放送番組の放送時刻やタイトル情報，ジャンル情報，出演者情報等が含まれる。
前記サブＭＰＵ９は，制御回路６と，リモコンインターフェース回路７及びＣＥＣインターフェース２ｘｂとの間で情報伝送を中継する処理を実行するマイクロコンピュータである。なお，このサブＭＰＵ９は，不図示のＲＯＭに予め記憶されたプログラムを実行することによって各種の処理を実行する。
前記リモコン８は，当該テレビジョン受像機Ｘの動作の制御用の無線信号（例えば，赤外線信号）を出力するリモート操作器である。前記リモコン８は，操作キー（操作入力部）や無線信号出力回路等を備え，その操作キーが操作された場合に，その操作に応じた無線信号を出力する。
一方，リモコンインターフェース回路７は，リモコン８から伝送される無線信号（赤外線信号等）を受信し，これを電気信号に変換することにより，リモコン８から伝送される各種情報を取得するとともに，その取得情報をサブＭＰＵ９に伝送するものである。
【００１６】
［録画再生装置Ｙ］
前記録画再生装置Ｙは，図１に示すように，デジタルチューナ２０，映像処理回路２１ａ，音声処理回路２１ｂ，録画・再生回路２２，ＨＤＤ２３（ハードディスクドライブ），ＨＤＭＩ送信部２５ａ，ＣＥＣインターフェース２５ｂ，制御回路２４，リモコンインターフェース回路２６，リモコン２７，サブＭＰＵ２８及び通電切替回路２９等を具備して構成されている。
ここで，デジタルチューナ２０，リモコンインターフェース回路２６，リモコン２７及びサブＭＰＵ２８は，それぞれテレビジョン受像機Ｘにおけるデジタルチューナ１，リモコンインターフェース回路７，リモコン８及びサブＭＰＵ９と同様のものである。
また，デジタルチューナ２０，映像処理回路２１ａ，音声処理回路２１ｂ及び録画・再生回路２２は，デジタルテレビジョン放送信号の処理（選局処理，映像処理，音声処理，録画処理など）に関する部品（以下，デジタル処理部品という）である。これらデジタル処理部品２０，２１ａ，２１ｂ，２２は，起動順序の制約等により全体の起動時間（非通電状態から通電されて全体としてデジタル放送信号の処理の実行を開始できるようになるまでの時間）が長い部品であり，例えば，２０秒程度の起動時間を要する。
また，録画再生装置Yにおける通電切替回路２９は，不図示の電源回路が商用電源に接続された状態において，前記サブＭＰＵ２８からの制御指令に従って，当該録画再生装置Ｙの通電状態を待機状態，中間状態及び稼動状態の３状態のいずれかに切り替える回路である（前記通電状態切替手段の一例）。
ここで，前記待機状態は，前記ＨＤＭＩインターフェースＷを構成する機器，前記リモコンインターフェース回路２６及び前記サブＭＰＵ２８に対する電力供給は行われているが，前記制御回路２４，前記ＨＤＤ２３及び前記デジタル処理部品２０，２１ａ，２１ｂ，２２に対する電力供給が行なわれていない状態である。また，前記中間状態は，前記待機状態から前記デジタル処理部品２０，２１ａ，２１ｂ，２２に対する電力供給（通電）を加えた状態である。また，前記稼動状態は，その中間状態からさらに前記ＨＤＤ２３，前記制御回路２４及び不図示の各種モータ（駆動源）に対する電力供給を加えた状態である。前記中間状態は，起動時間の長い前記デジタル処理部品２０，２１ａ，２１ｂ，２２が既に起動している状態であるため，その分，前記待機状態よりも前記稼動状態への移行時間が短い状態である。
【００１７】
前記録画・再生回路２２は，放送番組の録画処理及び録画番組の再生処理を実行するものである。即ち，録画・再生回路２２は，デジタルチューナ２０により抽出された番組の放送信号（映像信号及び音声信号）を圧縮符号化してＨＤＤ２３に記録する録画処理を実行する。さらに，録画・再生回路２２は，ＨＤＤ２３に録画（記録）された放送番組のデータを復号化しながらＨＤＭＩ送信部２５ａを通じて外部出力する再生処理を実行する。
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，ＴＭＤＳライン４１を通じて，外部装置（ここでは，テレビジョン受像機Ｘ）に対し，ベースバンド方式で映像信号及び音声信号を出力する（前記映像信号外部伝送手段の一例）。
前記ＣＥＣインターフェース２５ｂは，テレビジョン受像機ＸにおけるＣＥＣインターフェース２ｘｂと同様に，ＨＤＭＩ規格におけるＣＥＣ規格に準拠した信号伝送インターフェース（信号伝送手段）である。このＣＥＣインターフェース２５ｂは，ＣＥＣライン４２を通じて前記テレビジョン受像機Ｘとの間で制御情報の送受信を行う（前記制御情報通信手段の一例）。ＣＥＣインターフェース２５ｂの受信情報の直接の伝送先及び送信情報の直接の供給元は，サブＭＰＵ２８である。
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。この制御回路２４は，ＭＰＵ２４ａがＲＯＭ２４ｂに記憶されたプログラムを実行することにより各種の処理を実行する。
【００１８】
次に，図２に示すフローチャートを参照しつつ，ＡＶシステムＺにおける通電状態切替処理の手順について説明する。なお，以下に示すＳ１０１，Ｓ１０２，…は，処理手順（ステップ）の識別符号を表す。
前記通電状態切替処理は，前記テレビジョン受像機Ｘと前記録画再生装置Ｙとが，ＨＤＭＩインターフェースＷを通じて情報の授受を行いつつ実行する処理である。ここで，前記テレビジョン受像機Ｘが，前記ＨＤＭＩインターフェースＷを通じて接続されている録画再生装置Ｙのいずれを情報授受（通信）の相手とするかを定める設定情報が，例えば前記サブＭＰＵ９が備える不図示の不揮発メモリに予め記憶されており，前記テレビジョン受像機Ｘは，その設定情報に基づいて情報授受の相手を特定する。なお，その設定情報は，例えば，前記制御回路６により，前記リモコン８を通じた操作入力に基づいて予め設定され，前記サブＭＰＵ９の不揮発メモリに記録される。
以下，先にテレビジョン受像機Ｘ側の処理について説明し，続けて録画再生装置Ｙ側の処理について説明する。
【００１９】
まず，前記通電状態切替処理におけるテレビジョン受像機Ｘ側の処理について説明する。なお，当該テレビジョン受像機Ｘの初期状態は前記待機状態である。
［ステップＳ１０１〜Ｓ１０３］
まず，前記サブＭＰＵ９が，前記リモコン８（操作部の一例）を通じて電源ＯＮ操作（起動操作）がなされたか否かを監視する（Ｓ１０１）。
さらに，前記サブＭＰＵ９は，電源ＯＮ操作がなされたことを検知した際に，外部の前記録画再生装置Ｙの通電状態を前記待機状態から前記中間状態（前記待機状態よりも前記稼動状態への移行時間が短い状態）へ移行させる中間状態移行指示コマンド（前記中間状態移行指示情報に相当）を，前記ＣＥＣインターフェース２ｘｂを通じて前記録画再生装置Ｙへ送信する（Ｓ１０２，前記第１の中間状態移行指示手段の一例）。
これにより，後述するように，前記中間状態移行指示コマンドを受信した前記録画再生装置Ｙが，前記待機状態から前記中間状態へ移行する。
さらに，前記サブＭＰＵ９は，電源ＯＮ操作がなされたことを検知した際に，前記通電切替回路１４を制御することにより，自装置の通電状態を前記待機状態（前記映像表示部５への通電を行わない状態）から前記稼動状態（映像表示部５への通電を行う状態）へ切り替える起動処理を実行する（Ｓ１０３，前記起動手段の一例）。
この起動処理の実行により，前記デジタルチューナ１により選局されたデジタル放送チャンネルの番組の映像が前記映像表示部５に表示され，同番組の音声が前記スピーカ１３により出力される。
このように，テレビジョン受像機Ｘにおいては，外部の前記録画再生装置Ｙの起動操作を行うために自装置の起動を待つ必要がない。そのため，前記録画再生装置Ｙを起動させてその出力映像を前記映像表示部５を通じて表示させたい場合に，その録画再生装置Ｙの起動を待つ待ち時間を短縮できる。しかも，テレビジョン受像機Ｘは，自装置の起動の際に，前記録画再生装置Ｙを前記待機状態から前記中間状態へ移行させるだけなので，結果的に前記録画再生装置Ｙの起動が必要でない場合の無駄な電力消費を極力抑えることができる。
【００２０】
［ステップＳ１０４］
そして，前記稼動状態への移行により起動した前記制御回路６が，リモコンインターフェース回路７及びサブＭＰＵ９を通じて得られる情報を参照することにより，前記リモコン８を通じて前記録画再生装置Ｙに録画又は再生に関する処理の実行を指示する所定の操作（動作指示の操作の一例，以下，録画・再生関連操作という），例えば，録画キーの操作や再生キーの操作などがなされたか否かを判別する処理（Ｓ１０４）を，前記中間状態移行指示コマンドの送信（Ｓ１０２）後の所定時間の間繰り返しつつ，その間に前記録画・再生関連操作がなされたと判別した場合，次に示すステップＳ１０５〜Ｓ１１０の処理を実行する。
なお，録画又は再生に関する処理は，前記録画再生装置Ｙが，前記ＨＤＭＩ送信部２５ａを通じて映像信号を出力する処理を伴う処理である。また，前記
【００２１】
［ステップＳ１０５〜Ｓ１０７］
そして，前記制御回路６は，前記中間状態移行指示コマンドの送信（Ｓ１０２）の後，前記録画・再生関連操作がなされたことを検知（Ｓ１０４）した場合に，前記録画再生装置Ｙの通電状態を前記中間状態から前記稼動状態へ移行させる稼動状態移行指示コマンド（前記稼動状態移行指示情報に相当）を，前記ＣＥＣインターフェース２ｘｂを通じて前記録画再生装置Ｙへ送信する（Ｓ１０５，前記稼動状態移行指示手段の一例）。
これにより，後述するように，前記稼動状態移行指示コマンドを受信した前記録画再生装置Ｙが，前記中間状態から前記稼動状態へ移行する。
さらに，前記制御回路６は，前記稼動状態移行指示コマンドの送信先である前記録画再生装置Ｙから，前記ＣＥＣインターフェース２ｘｂを通じて所定の映像出力要求コマンドが受信されるか否かを監視し（Ｓ１０６），その映像出力要求コマンドが受信された場合に，前記映像切替回路３を制御することにより，その録画再生装置Ｙから前記ＨＤＭＩ受信部２ｘａ又は２ｙａを通じて入力される映像信号に基づく映像を前記映像表示部５に表示させるよう映像出力の切替えを行う（Ｓ１０７，前記映像出力制御手段の一例）。
これにより，当該テレビジョン受像機Ｘにおいて，前記映像表示部５を通じて表示させる映像の切替のための操作を行う必要がなく，操作の手間が省けて好適である。
【００２２】
［ステップＳ１０８〜Ｓ１１０］
さらに，前記制御回路６は，ステップＳ１０４で検知した前記録画・再生関連操作に対応した制御コマンド（録画指示コマンドや再生指示コマンド），或いはその後に検知された前記リモコン８を通じた新たな録画・再生関連操作（一時停止操作や早送り／早戻し操作など）に対応した制御コマンドを，前記ＣＥＣインターフェース２ｘｂを通じて前記録画再生装置Ｙに対して送信する（Ｓ１０８）。そして，前記制御回路６は，前記リモコン８を通じて録画・再生に関する所定の終了操作がなされたことを検知（Ｓ１０９）するまで，新たな録画・再生関連操作を検知するごとに，その操作に対応する制御コマンドの送信処理（Ｓ１０８）を実行する。
そして，前記制御回路６は，録画・再生に関する所定の終了操作がなされたことを検知すると，ステップＳ１０２と同様に，前記録画再生装置Ｙに対して再び前記中間状態移行指示コマンドを送信する（Ｓ１１０）。
【００２３】
［ステップＳ１１１，Ｓ１１２］
一方，前記制御回路６は，ステップＳ１０２又はＳ１１０において前記中間状態移行指示コマンドを送信した後の所定時間（例えば，数分程度）内に，ステップＳ１０４の処理によって前記録画・再生関連操作（前記動作指示操作の一例）が検知されない状態，即ち，前記稼動状態移行指示コマンドが送信されな状態（以下，録画・再生関連未操作状態という）であるか否かを判別する（Ｓ１１１）。そして，前記制御回路６は，そのような録画・再生関連未操作状態であると判別した場合，前記録画再生装置Ｙ（前記中間状態移行指示コマンドの送信先）の通電状態を前記中間状態から前記待機状態へ移行させる待機状態移行指示コマンド（前記待機状態移行指示情報に相当）を，前記ＣＥＣインターフェース２ｘｂを通じて前記録画再生装置Ｙに対して送信する（Ｓ１１２，前記待機状態移行指示手段の一例）。
これにより，後述するように，前記待機状態移行指示コマンドを受信した前記録画再生装置Ｙが，前記中間状態から前記待機状態へ移行する。その結果，結果的に前記録画生成装置Ｙの起動が必要でなかった場合に，その録画再生装置Ｙにおける無駄な電力消費をさらに低減することができる。
【００２４】
［ステップＳ１１３〜Ｓ１１５］
そして，前記制御回路６は，ステップＳ１１２において前記待機状態移行指示コマンドを送信した後，所定の条件が成立するまで次のステップＳ１１３及びＳ１１４の処理を繰り返し実行する。
まず，ステップＳ１１３において，前記制御回路６は，前記ＥＥＰＲＯＭ６ｃに予め記憶されているＥＰＧ情報（前記番組情報に相当）に基づいて，前記映像表示部５に表示中の映像に対応する放送番組（デジタルチューナ１により選局されている放送チャンネルの番組）のジャンル情報を特定する（Ｓ１１３，前記ジャンル情報特定手段の一例）。
さらに，ステップＳ１１４において，前記制御回路６は，ステップＳ１１２において前記待機状態移行指示コマンドを送信した後，ステップＳ１１３の処理により特定したジャンル情報が変化した否か，及び当該制御回路６及び前記デジタルチューナ１による前記選局処理（不図示）により選局された放送チャンネルが変化したか否かを判別する（Ｓ１１４）。
そして，前記制御回路６は，ステップＳ１１３の処理により特定したジャンル情報が変化したと判別した場合，又は選局された放送チャンネルが変化したと判別した場合に，ステップＳ１０２と同様に，前記中間状態移行指示コマンドを前記ＣＥＣインターフェース２ｘｂを通じて前記録画再生装置Ｙに対して送信し（Ｓ１１５，前記第２の中間状態移行指示手段及び前記第３の中間状態移行指示手段の一例），その後，処理を前述したステップＳ１０４へ戻す。
一般に，視聴されている放送番組のジャンル（スポーツ，ドラマ等）が変化した（新たな放送番組の放送が開始された）場合や，選局チャンネルの変更がなされた場合など，視聴中の放送番組に変化があった場合に，ユーザが録画再生装置Ｙを利用した録画処理や再生処理の要求を思いつくことが多い。そのため，視聴中の放送番組に変化があった場合，このステップＳ１１３〜Ｓ１１５の処理により，再び前記録画再生装置Ｙを前記中間状態へ移行させれば，その録画再生装置Ｙの起動を待つ待ち時間を短縮できる。
【００２５】
続いて，前記通電状態切替処理における録画再生装置Ｙ側の処理について説明する。なお，当該録画再生装置Ｙの初期状態は前記待機状態である。
［ステップＳ２０１，Ｓ２０２］
まず，前記サブＭＰＵ２８が，当該録画再生装置Ｙが前記待機状態であるときに，外部の前記テレビジョン受像機Ｘから前記ＣＥＣインターフェース２５ｂを通じて前記中間状態への移行指示を表す前記中間状態移行指示コマンドが受信されたか否かを監視する（Ｓ２０１）。なお，このステップＳ２０１において受信される前記中間状態移行指示コマンドは，前述したステップＳ１０２又はＳ１１５において送信されるコマンドである。
そして，前記サブＭＰＵ２８は，前記中間状態移行指示コマンドが受信されたと判別すると，前記通電切替回路２９を制御することにより，自装置の通電状態を前記待機状態から前記中間状態へ移行させる中間状態移行処理を実行する（Ｓ２０２，前記中間状態移行制御手段の一例）。
これにより，当該録画再生装置Ｙは，前記待機状態から前記デジタル処理部品２０，２１ａ，２１ｂ，２２に対する電力供給（通電）が行われた前記中間状態へ状態が切り替わる。なお，この時点では，前記ＨＤＤ２３，前記制御回路２４及び不図示の各種モータ（駆動源）に対する電力供給はなされない。
【００２６】
［ステップＳ２０３，Ｓ２０４，Ｓ２０８］
次に，前記中間状態への移行後に，前記サブＭＰＵ２８は，前記ＣＥＣインターフェース２５ｂを通じた外部の前記テレビジョン受像機Ｘからのコマンドの受信状況をチェックすることにより，前記稼動状態への移行指示を表す前記稼動状態移行指示コマンドが受信されたか否かの監視（Ｓ２０３）と，前記待機状態への移行指示を表す前記待機状態移行指示コマンドが受信されたか否かの監視（Ｓ２０８）とを行う。なお，ステップＳ２０３及びＳ２０８それぞれにおいて受信される前記稼動状態移行指示コマンド及び前記待機状態移行指示コマンドは，それぞれ前述したステップＳ１０５及びＳ１１２において送信されるコマンドである。
そして，前記サブＭＰＵ２８は，前記中間状態において，前記テレビジョン受像機Ｘから前記稼動状態移行指示コマンドが受信されたと判別すると，前記通電切替回路２９を制御することにより自装置の通電状態を前記中間状態から前記稼動状態へ移行させる稼動状態移行処理を実行する（Ｓ２０４，前記稼動状態移行制御手段の一例）。この稼動状態移行処理はごく短時間で終了する。
さらに，前記稼動状態への移行により起動した前記制御回路２４が，次に示すステップＳ２０５〜Ｓ２０７の処理を実行する。
このように，当該録画再生装置Ｙが，前記テレビジョン受像機Ｘの起動（Ｓ１０３）と並行して起動時間が長い前記デジタル処理部品２０，２１ａ，２１ｂ，２２を起動させる処理（Ｓ２０２，前記中間状態への移行処理）を実行し，必要に応じて前記中間状態から前記稼動状態への移行処理（Ｓ２０４）を実行する。これにより，当該録画再生装置Ｙの起動を待つ待ち時間を短縮できる。
【００２７】
［ステップＳ２０５〜Ｓ２０７］
前記稼動状態への移行後，まず，前記制御回路２４が，前記テレビジョン受像機Ｘに対し，当該録画再生装置Ｙから前記ＨＤＭＩ送信部２５ａを通じて出力する映像信号に基づく映像を前記映像表示部５に表示させることを要求する前記映像出力要求コマンドを前記ＣＥＣインターフェース２５ｂを通じて送信する（Ｓ２０５）。
さらに，前記制御回路２４が，前記テレビジョン受像機Ｘから，前記ＣＥＣインターフェース２５ｂを通じて前記録画・再生関連操作に対応した制御コマンド（録画指示コマンド，再生指示コマンド，一時停止操作や早送り／早戻し操作に関するコマンド等）が受信されるか否かを監視し，制御コマンドが受信された場合には，前記録画・再生回路２２が，その制御コマンドに応じた処理を実行する（Ｓ２０６）。
また，前記制御回路２４は，ステップＳ２０６の処理を実行しつつ，前記テレビジョン受像機Ｘから前記ＣＥＣインターフェース２５ｂを通じて前記中間状態移行指示コマンドが受信されるか否かを監視し（Ｓ２０７），前記中間状態移行指示コマンドが受信された場合には，処理を前述したステップＳ２０２に戻す。
これにより，前記サブＭＰＵ２８が，前記通電切替回路２９を制御することにより，当該録画再生装置Ｙを前記稼動状態から前記中間状態へ移行させ（Ｓ２０２），再度，ステップＳ２０３及びＳ２０８の処理を繰り返す。
なお，このステップＳ２０７において受信される前記中間状態移行指示コマンドは，前述したステップＳ１１０において送信されるコマンドである。
【００２８】
［ステップＳ２０９］
一方，前記サブＭＰＵ２８は，前記中間状態において，前記テレビジョン受像機Ｘから前記待機状態移行指示コマンドが受信されたと判別（Ｓ２０８）すると，前記通電切替回路２９を制御することにより自装置の通電状態を前記中間状態から前記待機状態へ移行させる待機状態移行処理を実行し（Ｓ２０９，前記第１の待機状態移行制御手段の一例），その後，処理を前述したステップＳ２０１へ戻す。
これにより，結果的に当該録画生成装置Ｙの起動が必要でなかった場合の無駄な電力消費が抑えられる。
以上に示したように，ＡＶシステムＺによれば，待機モードから稼動モードへの移行に長時間を要する前記デジタル処理部品２０，２１ａ，２１ｂ，２２を備えた録画再生装置Ｙと接続されたテレビジョン受像機Ｘが，その録画再生装置Ｙを起動させてその出力映像を映像表示部５に表示させる場合に，その録画再生装置Ｙによる無駄な電力消費を極力抑えつつ，その起動を待つ待ち時間を短縮できる。
【００２９】
以上に示した実施形態では，前記テレビジョン受像機Ｘの通信相手（前記中間状態移行指示コマンド等の送信先）が，前記リモコン８を通じた操作入力に基づいて予め設定される例を示したが，たの実施形態も考えられる。
例えば，前記テレビジョン受像機Ｘにおける前記サブＭＰＵ９が，前記ＣＥＣインターフェース２ｘｂを通じて複数の外部装置からそれぞれの種類情報（録画再生装置やセットトップボックスなど）を予め取得し（前記装置種類情報取得手段の一例），その取得情報を外部装置それぞれの宛先情報とともに前記サブＭＰＵ９が備える不揮発メモリ（不図示）に予め記憶させておく。
そして，前記サブＭＰＵ９が，前記不揮発メモリに記憶された前記種類情報に基づいて，前記ＣＥＣインターフェース２ｘｂを通じて通信可能な複数の外部装置のうち，前述したステップＳ１０２における前記中間状態移行指示コマンドの送信先を決定し，決定した送信先に対して前記中間状態移行指示コマンドの送信（Ｓ１０２）を行うことが考えられる（前記第１の中間状態移行指示先決定手段の一例）。例えば，種類が「録画再生装置」である外部装置に対してのみ前記中間状態移行指示コマンドの送信を行うこと等が考えられる。
【００３０】
また，前記テレビジョン受像機Ｘが，前記録画再生装置Ｙに対する前記中間状態への移行指示機能（以下，中間状態移行指示機能という）を有効にするか否かを任意に設定できる機能を備えることも考えられる。
例えば，前記制御回路６が，前記リモコン８（操作部）を通じた所定の設定操作に従って当該テレビジョン受像機Ｘの動作モードを前記中間状態移行指示機能を有効にするか否かを指定する情報（以下，動作モード情報という）を設定し，その動作モード情報を予め前記サブＭＰＵ９が備える不揮発メモリ（不図示）に記憶させる（前記動作モード情報設定手段の一例）。
そして，前記サブＭＰＵ９が，前記動作モード情報に基づいて，ステップＳ１０２での前記中間状態移行指示コマンドの送信処理を実行するか否かを切り替える（前記中間状態移行指示実行制御手段の一例）。
そのような実施形態も本発明の実施形態の一例である。
【００３１】
また，前記録画再生装置Ｙにおいて，前記サブＭＰＵ２８が，ステップＳ２０１において前記中間状態移行指示コマンドが受信された後の所定時間（例えば数分）内に，前記テレビジョン受像機Ｘから前記稼動状態移行指示コマンドが受信されない場合に，前記通電切替回路２９を制御することによって自装置の通電状態を前記中間状態から前記待機状態へ移行させる処理を実行することも考えられる（前記第２の待機状態移行制御手段の一例）。
これにより，前記録画再生装置Ｙは，前記テレビジョン受像機Ｘとともに起動する必要がない場合に，前記テレビジョン受像機Ｘからの指示（前記稼動状態移行指示コマンドの受信（Ｓ２０３））を受けなくても自動的に前記待機状態へ移行するので，無駄な電力消費がさらに抑えられる。この場合，前記テレビジョン受像機ＸにおけるステップＳ１０２の処理を省略することも考えられるが，その処理を省略しないことも考えられる。
【産業上の利用可能性】
【００３２】
本発明は，テレビジョン受像機及びそれを含むＡＶシステムに利用可能である。
【図面の簡単な説明】
【００３３】
【図１】本発明の実施形態に係るテレビジョン受像機Ｘ及び録画再生装置Ｙを含むＡＶシステムＺの概略構成を表すブロック図。
【図２】ＡＶシステムＺにおける通電状態切替処理の手順を表すフローチャート。
【符号の説明】
【００３４】
Ｘ：テレビジョン受像機
Ｙ：録画再生装置（デジタル放送信号処理装置）
Ｚ：ＡＶシステム
Ｗ：ＨＤＭＩインターフェース
１，２０：デジタルチューナ
２ｘａ，２ｙａ：ＨＤＭＩ受信部
２ｘｂ，２５ｂ：ＣＥＣインターフェース
３：映像切替回路
４，２１ａ：映像処理回路
５：映像表示部
６，２４：制御回路
７，２６：リモコンインターフェース回路
８，２７：リモコン
９，２８：サブＭＰＵ
１０：音声切替回路
１１，２１ｂ：音声処理回路
１２：アンプ
１３：スピーカ
１４，２９：通電切替回路
２２：録画・再生回路
２３：ＨＤＤ
２５ａ：ＨＤＭＩ送信部
４０：ＨＤＭＩケーブル
４１：ＴＭＤＳライン
４２：ＣＥＣライン
Ｓ１０１，Ｓ１０２，〜：処理手順（ステップ）
【図１】
2008219392.tif 000003
【図２】
2008219392.tif 000004